(57)【要約】【課題】インターネットにおいて、広告依頼者が広告費用を低減することのできるインターネット広告方法及びシステムを提供する。また、電子モール出店者の、電子モールへの出店費用を低減する電子モールシステムを提供する。【解決手段】インターネット上でユーザ端末に広告を表示するインターネット広告方法であって、複数の広告依頼者がそれぞれ有する、広告掲載領域を備えるｗｅｂページを、インターネットに接続するユーザが閲覧するとき、前記広告掲載領域に広告配信サーバが配信する広告情報が掲載されるステップを備え、該記広告情報が、少なくとも前記複数の広告依頼者の中の一人の者に関する広告情報を含むことを特徴とするインターネット広告方法及びシステム。【選択図】　図５
2004062318.tif 000002
【特許請求の範囲】
【請求項１】
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する広告情報が掲載されるステップ、
を備えるインターネット広告方法であって、
前記広告情報が、少なくとも前記複数の広告依頼者の中の一人の者に関する広告情報を含むことを特徴とするインターネット広告方法。
【請求項２】
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する広告情報が掲載されるステップ、
を備えるインターネット広告方法であって、
前記広告情報が、前記複数の広告依頼者の間で互いに競合する情報を含まないことを特徴とするインターネット広告方法。
【請求項３】
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記複数の広告依頼者のｗｅｂページ上に、前記広告掲載領域が存在しているかどうかを調査するステップと、
を備えることを特徴とするインターネット広告方法。
【請求項４】
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
を備えることを特徴とするインターネット広告方法。
【請求項５】
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
前記複数の広告依頼者のｗｅｂページ上に、前記広告掲載領域が存在しているかどうかを調査するステップと、
を備えることを特徴とするインターネット広告方法。
【請求項６】
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
前記広告情報配信履歴に基づいて、前記広告配信サーバが広告情報を配信するステップと、
を備えることを特徴とするインターネット広告方法。
【請求項７】
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
前記広告情報配信履歴に基づいて、前記広告配信サーバが広告情報を配信するステップと、
前記複数の広告依頼者のｗｅｂページ上に、前記広告掲載領域が存在しているかどうかを調査するステップと、
を備えることを特徴とするインターネット広告方法。
【請求項８】
インターネット広告システムであって、
複数の広告依頼者がそれぞれ有する、広告掲載領域を備えたｗｅｂページと、
広告依頼者に関する広告情報を配信する広告配信サーバと、
を備え、
インターネットに接続するユーザが前記ｗｅｂページを閲覧するとき、前記広告配信サーバが、前記広告掲載領域に、広告情報を配信し、
該広告情報が、少なくとも前記複数の広告依頼者の中の一人の者に関する広告情報を含む、ことを特徴とするインターネット広告システム。
【請求項９】
インターネット広告システムであって、
複数の広告依頼者がそれぞれ有する、広告掲載領域を備えたｗｅｂページと、
広告依頼者に関する広告情報を配信する広告配信サーバと、
を備え、
インターネットに接続するユーザが前記ｗｅｂページを閲覧するとき、前記広告配信サーバが、前記広告掲載領域に、広告情報を配信し、
該広告情報が、前記複数の広告依頼者の間で互いに競合する情報を含まないことを特徴とことを特徴とするインターネット広告システム。
【請求項１０】
請求項８または請求項９に記載のインターネット広告システムであって、
前記複数の広告依頼者のｗｅｂページ上に、前記広告掲載領域が存在しているかどうかを調査するステップを更に備えることを特徴とするインターネット広告システム。
【請求項１１】
請求項８または請求項９に記載のインターネット広告システムであって、
前記広告配信サーバが広告情報を配信したことを、広告情報配信履歴として記録するステップを更に備えることを特徴とするインターネット広告システム。
【請求項１２】
請求項１１に記載のインターネット広告システムであって、
前記広告情報配信履歴に基づいて、前記広告配信サーバが広告情報を配信するステップを更に備えることを特徴とするインターネット広告システム。
【請求項１３】
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
前記広告情報配信履歴に基づいて広告料金を算出するステップと、
を備えることを特徴とするインターネット広告方法。
【請求項１４】
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
前記複数の広告依頼者のｗｅｂページ上に、前記広告掲載領域が存在しているかどうかを調査するステップと、
前記広告情報配信履歴に基づいて広告料金を算出するステップと、
を備えることを特徴とするインターネット広告方法。
【請求項１５】
請求項１１または請求項１２に記載のインターネット広告システムであって、
前記広告情報配信履歴に基づいて広告料金を算出するステップを更に備えることを特徴とする、インターネット広告システム。
【請求項１６】
インターネット上の電子モールシステムであって、
複数の電子モール出店者がそれぞれ有する、電子モール情報掲載領域を備えたｗｅｂページと、
電子モール出店者に関する情報を含む電子モール情報を配信する電子モール情報配信サーバと、
インターネットに接続するユーザが前記ｗｅｂページを閲覧するとき、前記電子モール情報配信サーバが、前記電子モール情報掲載領域に、電子モール情報を配信するステップと、を備え、
該電子モール情報が、少なくとも前記複数の電子モール出店者の一人の者に関する情報を含むことを特徴とする電子モールシステム。
【請求項１７】
インターネット上の電子モールシステムであって、
複数の電子モール出店者がそれぞれ有する、電子モール情報掲載領域を備えたｗｅｂページと、
電子モール出店者に関する電子モール情報を配信する電子モール情報配信サーバと、
インターネットに接続するユーザが前記ｗｅｂページを閲覧するとき、前記電子モール情報配信サーバが、前記電子モール情報掲載領域に、電子モール情報を配信するステップと、を備え、
該電子モール情報が、前記複数の電子モール出店者の間で互いに競合する情報を含まないことを特徴とする電子モールシステム。
【請求項１８】
請求項１６または請求項１７に記載の電子モールシステムであって、
該電子モール情報が、電子モールシンボルを含むことを特徴とする電子モールシステム。
【請求項１９】
請求項１６、請求項１７または請求項１８に記載の電子モールシステムであって、
前記電子モール情報掲載領域が前記ｗｅｂページ上に存在しているかどうかを調査する手段を更に備えることを特徴とする電子モールシステム。
【請求項２０】
請求項１６、請求項１７、請求項１８または請求項１９に記載の電子モールシステムであって、
前記電子モール情報配信サーバが、前記電子モール情報掲載領域に電子モール情報を配信したことを電子モール情報配信履歴として記録する手段を更に備えることを特徴とする電子モールシステム。
【請求項２１】
請求項２０に記載の電子モールシステムであって、
前記電子モール情報配信サーバが、前記電子モール情報配信履歴に基づいて、電子モール情報を配信することを特徴とする電子モールシステム。
【発明の詳細な説明】
【０００１】
【発明の属する技術分野】
本発明は、インターネットを介して、インターネットに接続するユーザ（以下、単に、「ユーザ」とする）に、広告を供給するインターネット上の広告方法及びシステムに関し、特に、広告依頼者が広告場所提供者を兼ねる場合のインターネット広告方法及びシステムに関する。
また、本発明は、インターネット上の電子モールシステムに関し、特に、電子モール出店者が電子モール情報を電子モール出店者のｗｅｂページに掲載する場合の電子モールシステムに関する。
【０００２】
【従来の技術】
まず初めに、従来のインターネット広告方法について説明する。
図１は、従来のインターネット広告方法の一例を示した概略図である。図１のように、従来のインターネット広告方法においては、広告を依頼する広告依頼者（以下、「広告依頼者」とする）が、広告を仲介する者（以下、「広告仲介者」とする）に、広告を依頼する。広告仲介者は、ｗｅｂページに広告情報を掲載するｗｅｂページの管理者（以下、インターネット上の広告場所を提供するという意味で、「広告場所提供者」とする）に、広告情報を配信する。
広告場所提供者は、広告仲介者から配信される広告情報を、ｗｅｂページ上に掲載する。ユーザが、広告場所提供者のｗｅｂページを閲覧するとき、該ｗｅｂページに掲載される前記広告情報を閲覧する。従来のインターネット広告方法においては、図１のように、広告依頼者と広告場所提供者は互いに異なる。
【０００３】
ここで、広告仲介者が広告場所提供者に広告情報を配信するとは、ユーザが広告場所提供者のｗｅｂページを閲覧するとき、該ｗｅｂページのデータがユーザの有するユーザ端末に送信され、該ｗｅｂページのデータ中の前記広告情報の掲載を指示するデータに基づいて、前記広告情報の配信元である広告仲介者の広告配信サーバが、ユーザ端末に、前記広告情報を送信することをいう。また、ここで、広告場所提供者が広告仲介者から配信される広告情報をｗｅｂページ上に掲載するとは、ユーザが前記広告場所提供者のｗｅｂページを閲覧するときに、該ｗｅｂページ上に広告仲介者が配信する前記広告情報が表示されるように指示するデータを、前記場所提供者のｗｅｂページのデータが有することをいう。
【０００４】
図２は、従来のインターネット広告方法の一例を示した概略図である。図２のように、従来のインターネット広告方法においては、広告依頼者が、広告仲介者でありなおかつ広告場所提供者である者（以下、「広告仲介者かつ広告場所提供者」とする）に、広告を依頼する。広告仲介者かつ広告場所提供者は、ｗｅｂページに広告情報を掲載する。ユーザは、広告仲介者かつ広告広告場所提供者のｗｅｂページ上で、前記広告情報を閲覧する。図２の例は、図１の例の場合とは異なって、広告仲介者と広告場所提供者が同じである。しかしながら、図２の例の場合も、図１の例の場合と同様に、広告依頼者と広告場所提供者は互いに異なる。
【０００５】
次に、従来のインターネット広告システムについて説明する。図３は、従来のインターネット広告システムの構成例を示している。図３において、１はユーザ端末、２はブラウザ（ｗｅｂページ閲覧手段）、３は広告配信サーバ、４はｗｅｂページ、５はｗｅｂサーバ、６はインターネットを表す。不特定多数のユーザ端末１、広告配信サーバ３、不特定多数のｗｅｂサーバ５は、インターネット６に接続されている。ユーザは、ユーザ端末１が備えるブラウザ２で、ｗｅｂサーバ５が配信するｗｅｂページ４を閲覧する。広告場所提供者はｗｅｂページ４を有し、広告場所提供者のｗｅｂページ４は、広告仲介者が有する広告配信サーバ３が配信する広告情報を掲載する広告掲載領域を備える。
【０００６】
ユーザがユーザ端末１が備えるブラウザ２で、広告掲載領域を備える広告場所提供者のｗｅｂページ４を閲覧するとき、広告仲介者が有する広告配信サーバ３は、広告依頼者に関する広告情報を、広告場所提供者のｗｅｂページ４が備える広告掲載領域に基づいて、ユーザ端末１が備えるブラウザ２へ配信する。広告依頼者は、ｗｅｂページ４を有する場合もあるが、広告情報の配信と受信に関しては、直接関与することはない。
【０００７】
このように、従来のインターネット広告システムにおいては、広告情報の配信と受信は、ユーザが広告情報場所領域を備える広告場所提供者のｗｅｂページ４を閲覧するときに、広告仲介者が有する広告配信サーバ３とユーザ端末１との間で行われる。
【０００８】
次に、従来の、インターネットにおける電子モールシステムについて説明する。図４は、従来の電子モールシステムの構成例を示している。図４において、１はユーザ端末、２はブラウザ、６はインターネット、７は電子モールサーバ、８は電子モール入り口ｗｅｂページ、９は電子モール出店者のｗｅｂページを表す。
【０００９】
従来の電子モールシステムにおいては、電子モールに出店する者（以下、「電子モール出店者」とする）は、電子モールの運営者（以下、「電子モール運営者」とする）に、電子モールへの出店料を支払って、電子モール内に出店者のｗｅｂページを確保する。（以下、電子モール出店者のｗｅｂページを「電子モール出店者ｗｅｂページ」とする）。ユーザは、ブラウザ２を備えるユーザ端末１から、インタネット６を介して、電子モールサーバ７を備える電子モールへアクセスする。通常、電子モールは、ユーザの入り口となる、電子モール入り口ｗｅｂページを備える。
【００１０】
【発明が解決しようとする課題】
しかしながら、従来のインターネット広告方法及びシステムには、以下に述べるように、広告依頼者にとって、広告費用が多くかかるという問題があった。
【００１１】
従来のインターネット広告方法及びシステムにおいては、広告依頼者が広告仲介者に広告依頼をする場合、広告依頼者は、広告仲介者に対して広告依頼を行い、広告料を支払う見返りとして、広告仲介者が広告配信を行っている広告場所提供者のｗｅｂページ上に広告依頼者の広告情報が掲載される。言い換えると、従来のインターネット広告方法及びシステムにおいては、広告依頼者は、広告場所提供者の有するｗｅｂページ上のスペースの一部を、広告仲介者を介して、借りている、といえる。
【００１２】
すなわち、従来のインターネット広告方法およびシステムにおいては、広告依頼者は、広告仲介者を介して広告依頼者に関する広告情報を広告場所提供者のｗｅｂページ上に掲載してもらうために、広告場所提供者へ、広告依頼者に関する広告情報を広告場所提供者のｗｅｂページ上に掲載してもらうための料金（以下「広告掲載料金」とする）を、間接的もしくは直接的に、支払わなければならないので、広告費用が多くかかるという問題があった。
【００１３】
また、従来の電子モールシステムにおいては、電子モール出店者は、電子モールに出店する（電子モール内に電子モール出店者ｗｅｂページを確保する）ために、電子モール運営者に、電子モールへの出店料を支払わなければならないという問題があった。
【００１４】
【課題を解決するための手段】
本発明は、このような状況を鑑みてなされたものであり、インターネットにおいて、広告依頼者の広告費用を低減する従来のインターネット広告方法及びシステムを提供するものである。
【００１５】
また、本発明は、電子モールシステムにおいて、出店者の電子モールシステムへの出店費用を低減する電子モールシステムを提供するものである。
【００１６】
すなわち、本発明のインターネット広告方法は、
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する広告情報が掲載されるステップ、
を備えるインターネット広告方法であって、
前記広告情報が、少なくとも前記複数の広告依頼者の中の一人の者に関する広告情報を含むことを特徴とするインターネット広告方法である。
【００１７】
また、本発明のインターネット広告方法は、
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する広告情報が掲載されるステップ、
を備えるインターネット広告方法であって、
前記広告情報が、前記複数の広告依頼者の間で互いに競合する情報を含まないことを特徴とするインターネット広告方法である。
【００１８】
また、本発明のインターネット広告方法は、
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記複数の広告依頼者のｗｅｂページ上に、前記広告掲載領域が存在しているかどうかを調査するステップと、
を備えることを特徴とするインターネット広告方法である。
【００１９】
また、本発明のインターネット広告方法は、
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
を備えることを特徴とするインターネット広告方法である。
【００２０】
また、本発明のインターネット広告方法は、
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
前記複数の広告依頼者のｗｅｂページ上に、前記広告掲載領域が存在しているかどうかを調査するステップと、
を備えることを特徴とするインターネット広告方法である。
【００２１】
また、本発明のインターネット広告方法は、
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
前記広告情報配信履歴に基づいて、前記広告配信サーバが広告情報を配信するステップと、
を備えることを特徴とするインターネット広告方法である。
【００２２】
また、本発明のインターネット広告方法は、
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
前記広告情報配信履歴に基づいて、前記広告配信サーバが広告情報を配信するステップと、
前記複数の広告依頼者のｗｅｂページ上に、前記広告掲載領域が存在しているかどうかを調査するステップと、
を備えることを特徴とするインターネット広告方法である。
【００２３】
また、本発明のインターネット広告システムは、
複数の広告依頼者がそれぞれ有する、広告掲載領域を備えたｗｅｂページと、
広告依頼者に関する広告情報を配信する広告配信サーバと、
を備え、
インターネットに接続するユーザが前記ｗｅｂページを閲覧するとき、前記広告配信サーバが、前記広告掲載領域に広告情報を配信し、
該広告情報が、少なくとも前記複数の広告依頼者の中の一人の者に関する広告情報を含む、ことを特徴とするインターネット広告システムである。
【００２４】
また、本発明のインターネット広告システムは、
複数の広告依頼者がそれぞれ有する、広告掲載領域を備えたｗｅｂページと、
広告依頼者に関する広告情報を配信する広告配信サーバと、
を備え、
インターネットに接続するユーザが前記ｗｅｂページを閲覧するとき、前記広告配信サーバが、前記広告掲載領域に、広告情報を配信し、
該広告情報が、前記複数の広告依頼者の間で互いに競合する情報を含まないことを特徴とことを特徴とするインターネット広告システムである。
【００２５】
また、本発明のインターネット広告システムは、
前記複数の広告依頼者のｗｅｂページ上に、前記広告掲載領域が存在しているかどうかを調査するステップを更に備えることを特徴とするインターネット広告システムである。
【００２６】
また、本発明のインターネット広告システムは、
前記広告配信サーバが広告情報を配信したことを、広告情報配信履歴として記録するステップを更に備えることを特徴とするインターネット広告システムである。
【００２７】
また、本発明のインターネット広告システムは、
前記広告情報配信履歴に基づいて、前記広告配信サーバが広告情報を配信するステップを更に備えることを特徴とするインターネット広告システムである。
【００２８】
また、本発明のインターネット広告方法は、
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
前記広告情報配信履歴に基づいて広告料金を算出するステップと、
を備えることを特徴とするインターネット広告方法である。
【００２９】
また、本発明のインターネット広告方法は、
インターネット上で、複数の広告依頼者がそれぞれｗｅｂページを有し、前記ｗｅｂページが広告掲載領域を備え、インターネットに接続するユーザが前記ｗｅｂページを閲覧するとき、前記広告掲載領域に、広告配信サーバが配信する、少なくとも前記複数の広告依頼者の中の一人の者に関する広告情報を含む広告情報、もしくは、前記複数の広告依頼者の間で互いに競合する情報を含まない広告情報、が掲載されるステップと、
前記広告配信サーバが広告情報を配信したことを、広告情報配信履歴として記録するステップと、
前記複数の広告依頼者のｗｅｂページ上に、前記広告掲載領域が存在しているかどうかを調査するステップと、
前記広告情報配信履歴に基づいて広告料金を算出するステップと、
を備えることを特徴とするインターネット広告方法である。
【００３０】
また、本発明のインターネット広告システムは、
前記広告情報配信履歴に基づいて広告料金を算出するステップを更に備えることを特徴とする、インターネット広告システムである。
【００３１】
また、本発明の電子モールシステムは、
インターネット上の電子モールシステムであって、
複数の電子モール出店者がそれぞれ有する、電子モール情報掲載領域を備えたｗｅｂページと、
電子モール出店者に関する情報を含む電子モール情報を配信する電子モール情報配信サーバと、
インターネットに接続するユーザが前記ｗｅｂページを閲覧するとき、前記電子モール情報配信サーバが、前記電子モール情報掲載領域に、電子モール情報を配信するステップと、を備え、
該電子モール情報が、少なくとも前記複数の電子モール出店者の一人の者に関する情報を含むことを特徴とする電子モールシステムである。
【００３２】
また、本発明の電子モールシステムは、
インターネット上の電子モールシステムであって、
複数の電子モール出店者がそれぞれ有する、電子モール情報掲載領域を備えたｗｅｂページと、
電子モール出店者に関する電子モール情報を配信する電子モール情報配信サーバと、
インターネットに接続するユーザが前記ｗｅｂページを閲覧するとき、前記電子モール情報配信サーバが、前記電子モール情報掲載領域に、電子モール情報を配信するステップと、を備え、
該電子モール情報が、前記複数の電子モール出店者の間で互いに競合する情報を含まないことを特徴とする電子モールシステムである。
【００３３】
また、本発明の電子モールシステムは、
該電子モール情報が、電子モールシンボルを含むことを特徴とする電子モールシステムである。
【００３４】
また、本発明の電子モールシステムは、
前記電子モール情報掲載領域が前記ｗｅｂページ上に存在しているかどうかを調査する手段を更に備えることを特徴とする電子モールシステムである。
【００３５】
また、本発明の電子モールシステムは、
前記電子モール情報配信サーバが、前記電子モール情報掲載領域に電子モール情報を配信したことを電子モール情報配信履歴として記録する手段を更に備えることを特徴とする電子モールシステムである。
【００３６】
また、本発明の電子モールシステムは、
前記電子モール情報配信サーバが、前記電子モール情報配信履歴に基づいて、電子モール情報を配信することを特徴とする電子モールシステムである。
【００３７】
以上のインターネット広告方法、インターネット広告システムによって、広告依頼者は、広告費用を低減することができる。また、以上の電子モールシステムにおいて、出店者は、電子モールへの出店費用を低減することができる。
【００３８】
【発明の実施の形態】
本発明にかかる実施形態例を、以下に添付図面を参照しながら説明する。
【００３９】
図５は、本発明におけるインターネット広告方法及びシステムの一例の概略図を示したものである。図５のように、本発明のインターネット広告方法及びシステムにおいては、広告依頼者は、広告場所提供者を兼ねる（以下、広告場所提供者を兼ねる広告依頼者を「広告依頼者かつ広告場所提供者」とする）。複数の広告依頼者かつ広告場所提供者は、広告仲介者に広告依頼をする。広告仲介者は、前記複数の広告依頼者かつ広告場所提供者からの広告依頼を受けて、前記複数の広告依頼者かつ広告場所提供者に広告情報を配信する。該広告情報は、少なくとも前記複数の広告依頼者かつ広告場所提供者の中の一人の者に関する広告情報を含んでいる。前記複数の広告依頼者かつ広告場所提供者は、広告仲介者から配信される広告情報を、前記広告依頼者かつ広告場所提供者のｗｅｂページ上に掲載する。ユーザは、前記複数の広告依頼者かつ広告広告場所提供者のｗｅｂページ上で、前記広告情報を閲覧する。
【００４０】
図５のように、本発明のインターネット広告方法及びシステムにおいては、広告依頼者は広告依頼者かつ広告場所提供者であるので、複数の広告依頼者は、お互いに広告情報を掲載するので、お互いに広告掲載料金を相殺するか、もしくは、お互いに広告情報のアクセス回数などの広告情報がアクセスされた頻度に基づいて、広告掲載料金を差し引きすることができるので、広告掲載料金を低減することができ、広告費用を低減することができる。
また、本発明のインターネット広告方法においては、複数の広告依頼者かつ広告場所提供者が互いに、広告情報を掲載するので、前記広告情報がユーザから閲覧される機会が増える。
【００４１】
図６は、本発明におけるインターネット広告方法及びシステムにおいて、複数の広告依頼者かつ広告場所提供者がそれぞれ有する、広告掲載領域を備えるｗｅｂページの一例を示した図である。図６の例においては、株式会社Ａ、株式会社Ｂ、株式会社Ｃ、株式会社Ｄが広告依頼者かつ広告場所提供者であり、ｗｅｂページ１０ａ、ｗｅｂページ１０ｂ、ｗｅｂページ１０ｃ、ｗｅｂページ１０ｄをそれぞれ有する。ｗｅｂページ１０ａ、ｗｅｂページ１０ｂ、ｗｅｂページ１０ｃ、ｗｅｂページ１０ｄは、広告掲載領域１１ａ、広告掲載領域１１ｂ、広告掲載領域１１ｃ、広告掲載領域１１ｄを、それぞれ備える。株式会社Ａが有するｗｅｂページ１０ａが備える広告掲載領域１１ａには、株式会社Ｂと株式会社Ｃと株式会社Ｄの広告情報が掲載されている。株式会社Ｂが有するｗｅｂページ１０ｂが備える広告掲載領域１１ｂには、株式会社Ａと株式会社Ｃと株式会社Ｄの広告情報が掲載されている。株式会社Ｃが有するｗｅｂページ１０ｃが備える広告掲載領域１１ｃには、株式会社Ａと株式会社Ｂと株式会社Ｄの広告情報が掲載されている。株式会社Ｄが有するｗｅｂページ１０ｄが備える広告掲載領域１１ｄには、株式会社Ａと株式会社Ｂと株式会社Ｃの広告情報が掲載されている。
【００４２】
このように、図６の例において、株式会社Ａ、株式会社Ｂ、株式会社Ｃ、株式会社Ｄは、お互いの広告情報を掲載しているので、広告掲載料をお互いに相殺するか、もしくは、お互いに広告情報のアクセス回数などの広告情報がアクセスされた頻度に基づいて、広告掲載料金を差し引きすることができる。このようにして、広告掲載料金を低減することにより、広告費を低減することができる。また、図６の例において、株式会社Ａ、株式会社Ｂ、株式会社Ｃ、株式会社Ｄは、お互いの広告情報を掲載しているので、ユーザがそれぞれの広告情報を閲覧する機会が増大するので、広告効率が向上する。
【００４３】
ここで、本発明のインターネット広告方法及びシステムにおいては、前記広告仲介者が配信する広告情報は、前記複数の広告依頼者かつ広告場所提供者の中で互いに競合する情報を含まなくともよい。前記広告情報が、前記複数の広告依頼者かつ広告場所提供者の間で互いに競合する情報を含まない場合、前記複数の広告依頼者かつ広告場所提供者は互いに競合しないので、より広告効果を高めることができる。
【００４４】
図７は、本発明におけるインターネット広告方法及びシステムにおいて、複数の広告依頼者かつ広告場所提供者がそれぞれｗｅｂページを有し、該ｗｅｂページは広告掲載領域を有し、該広告掲載領域に掲載されている広告情報が、前記複数の広告依頼者かつ広告場所提供者の間で互いに競合する情報を含む場合の一例（図７（ａ））と、
前記複数の広告依頼者かつ広告場所提供者の間で互いに競合する情報を含まない場合の一例（図７（ｂ））とを示している。
【００４５】
図７（ａ）の例においては、花屋Ｅ、喫茶店Ｆ、楽器店Ｇ、花屋Ｈが広告依頼者かつ広告場所提供者であり、ｗｅｂページ１０ｅ、ｗｅｂページ１０ｆ、ｗｅｂページ１０ｇ、ｗｅｂページ１０ｈをそれぞれ有する。ｗｅｂページ１０ｅ、ｗｅｂページ１０ｆ、ｗｅｂページ１０ｇ、ｗｅｂページ１０ｈは、広告掲載領域１１ｅ、広告掲載領域１１ｆ、広告掲載領域１１ｇ、広告掲載領域１１ｈを、それぞれ備える。花屋Ｅが有するｗｅｂページ１０ｅが備える広告掲載領域１１ｅには、喫茶店Ｆと楽器店Ｇと花屋Ｈの広告情報が掲載されている。喫茶店Ｆが有するｗｅｂページ１０ｆが備える広告掲載領域１１ｆには、花屋Ｅと楽器店Ｇと花屋Ｈの広告情報が掲載されている。楽器店Ｇが有するｗｅｂページ１０ｇが備える広告掲載領域１１ｇには、花屋Ｅと喫茶店Ｆと花屋Ｈの広告情報が掲載されている。花屋Ｈが有するｗｅｂページ１０ｈが備える広告掲載領域１１ｈには、花屋Ｅと喫茶店Ｆと楽器店Ｇの広告情報が掲載されている。
【００４６】
図７（ａ）の例において、花屋Ｅ、喫茶店Ｆ、楽器店Ｇ、花屋Ｈは、お互いの広告を掲載しているが、該広告において、花屋Ｅと花屋Ｈは、お互いに業種が同じなので競合してしまい、広告効果が低下する。
【００４７】
図７（ｂ）の例においては、花屋ＥＡ、喫茶店ＦＡ、楽器店ＧＡ、玩具店ＨＡが広告依頼者かつ広告場所提供者であり、ｗｅｂページ１０ｅａ、ｗｅｂページ１０ｆａ、ｗｅｂページ１０ｇａ、ｗｅｂページ１０ｈａをそれぞれ有する。ｗｅｂページ１０ｅａ、ｗｅｂページ１０ｆａ、ｗｅｂページ１０ｇａ、ｗｅｂページ１０ｈａは、広告掲載領域１１ｅａ、広告掲載領域１１ｆａ、広告掲載領域１１ｇａ、広告掲載領域１１ｈａを、それぞれ備える。花屋ＥＡが有するｗｅｂページ１０ｅａが備える広告掲載領域１１ｅａには、喫茶店ＦＡと楽器店ＧＡと玩具店ＨＡの広告情報が掲載されている。喫茶店ＦＡが有するｗｅｂページ１０ｆａが備える広告掲載領域１１ｆａには、花屋ＥＡと楽器店ＧＡと玩具店ＨＡの広告情報が掲載されている。楽器店ＧＡが有するｗｅｂページ１０ｇａが備える広告掲載領域１１ｇａには、花屋ＥＡと喫茶店ＦＡと玩具店ＨＡの広告情報が掲載されている。玩具店ＨＡが有するｗｅｂページ１０ｈａが備える広告掲載領域１１ｈａには、花屋ＥＡと喫茶店ＦＡと楽器店ＧＡの広告情報が掲載されている。
【００４８】
図７（ｂ）の例において、花屋ＥＡ、喫茶店ＦＡ、楽器店ＧＡ、玩具店ＨＡは、お互いの広告を掲載しており、該広告において、お互いに業種が異なり競合しないので、広告効果を上げることができる。また、図７（ｂ）の例においても、花屋ＥＡ、喫茶店ＦＡ、楽器店ＧＡ、玩具店ＨＡは、お互いの広告を掲載しているので、ユーザがそれぞれの広告情報を閲覧する機会が増大し広告効率が上げる。
【００４９】
図７（ａ）では、花屋Ｅと花屋Ｈは、業種が同じであることで、互いに競合することの例を示し、図７（ｂ）では、花屋ＥＡ、喫茶店ＦＡ、楽器店ＧＡ、玩具店ＨＡは、業種が異なるので、互いに競合しないことを例示したが、“互いに競合しない”とは、図７のように、“業種”において、互いに競合しない場合でもよいし、また例えば、“営業地域”において、互いに競合しない場合でもよいし、”営業時間“において、互いに競合しない場合でもよい。
例えば、図７（ａ）の場合において、花屋Ａが関東地方に所在し、花屋Ｈが関西地方に所在する場合、花屋Ｅと花屋Ｈは、業種において互いに競合するものの、営業地域においては競合しないので、お互いの広告効果を高めることができる。また例えば、図７（ａ）の場合において、花屋Ｅが平日に営業し、花屋Ｈが休日（土曜日と日曜日）に営業する場合、花屋Ｅと花屋Ｈは、営業時間において互いに競合しないので、お互いの広告効果を高めることができる。
【００５０】
ここで、本発明のインターネット広告方法及びシステムにおいては、前記広告依頼者かつ広告場所提供者が有するｗｅｂページ上に、前記広告掲載領域が存在しているかどうかを調査するステップを備えてもよい。図８は、本発明のインターネット広告方法及びシステムにおいて、前記広告依頼者かつ広告場所提供者が有するｗｅｂページに、広告掲載領域が存在しているかどうかを調査するステップを備える場合の一例の概略図を示している。図８のように、広告掲載領域調査手段によって、前記広告依頼者かつ広告場所提供者が有するｗｅｂページに、広告掲載領域が存在しているかどうかを調査する。
【００５１】
前記広告掲載領域調査手段の一例を図９に示している。図９（ａ）のように、前記広告掲載領域調査手段１００は、広告掲載領域調査プログラム１０１とｗｅｂページアドレスデータベース１０２を備える。前記ｗｅｂページアドレスデータベース１０２は、前記広告依頼者かつ広告場所提供者が有するｗｅｂページのアドレスの情報を保持している。前記広告掲載領域調査プログラム１０１は、前記広告依頼者かつ広告場所提供者が有するｗｅｂページが前記広告掲載領域を有しているかどうか調査する。
図９（ｂ）は、前記広告掲載領域調査プログラム１０１のフローチャートを示している。前記広告掲載領域調査プログラム１０１は、ステップＳ９０１のように、広告掲載領域の調査が始まると、まず、ステップＳ９０２のように、前記ｗｅｂページアドレスデータベース１０２から、調査対象となる、前記広告依頼者かつ広告場所提供者のｗｅｂページアドレスを取得する。次に、ステップＳ９０３のように、前記ｗｅｂページアドレスから、前記広告依頼者かつ広告場所提供者のｗｅｂページデータを取得する。次に、ステップＳ９０４のように、前記広告依頼者かつ広告場所提供者のｗｅｂページデータを解析する。
次に、前記解析結果から、ステップＳ９０５のように、前記広告依頼者かつ広告場所提供者のｗｅｂページデータが、前記広告掲載領域のデータを含むどうか判定する。
このようにして、前記広告掲載領域調査手段は、前記広告依頼者かつ広告場所提供者が有するｗｅｂページに、広告掲載領域が存在しているかどうかを調べる。
【００５２】
前記広告依頼者かつ広告場所提供者が有するｗｅｂページに、広告掲載領域が存在しているかどうかを調べることによって、複数の広告依頼者かつ広告場所提供者の間で互いに広告情報を掲載しているかどうかを確認することができる。
このため、前記広告依頼者かつ広告場所提供者は、他の広告依頼者かつ広告場所提供者が広告掲載場所を提供しているかどうか分からないという不安を低減することができる。
【００５３】
ここで、本発明のインターネット広告方法及びシステムにおいては、前記広告配信サーバが広告情報を配信したことを広告情報配信履歴として記録するステップを備えてもよい。
広告情報の配信履歴を記録することは、前記広告配信サーバが、ユーザ端末に広告情報を配信するのに伴って、該広告情報の配信日時、配信先、配信した広告情報の内容などの情報を広告情報配信履歴として、例えば、広告情報配信履歴データベースに記録させることで行われる。
【００５４】
図１０は、本発明のインターネット広告システムにおいて、前記広告配信サーバが広告情報を配信したことを広告情報配信履歴として記録するステップを備えた場合の、構成の一例を示した図である。１はユーザ端末、２はブラウザ、３は広告配信サーバ、４はｗｅｂページ、５はｗｅｂサーバ、６はインターネット、１２は広告情報配信履歴データベースを表す。不特定多数のユーザ端末１、広告配信サーバ３、不特定多数のｗｅｂサーバ５は、インターネット６に接続されている。
【００５５】
ユーザは、ユーザ端末１が備えるブラウザ２で、ｗｅｂサーバ５が配信するｗｅｂページ４を閲覧する。複数の広告依頼者かつ広告場所提供者はｗｅｂページ４をそれぞれ有し、前記複数の広告依頼者かつ広告場所提供者がそれぞれ有するｗｅｂページ４は、広告仲介者が有する広告配信サーバ３が配信する広告情報を掲載する広告掲載領域をそれぞれ備える。ユーザがユーザ端末１が備えるブラウザ２で、広告掲載領域を備える広告依頼者かつ広告場所提供者のｗｅｂページ４を閲覧するとき、広告仲介者が有する広告配信サーバ３は、広告依頼者かつ広告場所提供者に関する広告情報を、ユーザ端末１が備えるブラウザへ配信する。広告配信サーバ３は、広告情報配信履歴データベース１２を備え、広告配信サーバ３がユーザ端末１のブラウザ２に広告情報を配信したときに、広告情報配信履歴データベース１２に、広告配信サーバ３がユーザ端末１のブラウザ２に広告情報を配信したことを履歴として記録する。
【００５６】
図１１は、本発明のインターネット広告方法およびシステムにおいて、前記広告配信サーバが広告情報を配信したことを広告情報配信履歴として記録するステップを備えた場合の、ユーザがｗｅｂページを閲覧するときの手順の概要を示している。
【００５７】
ステップＳ１０１のように、ユーザは、ｗｅｂページ閲覧指示をブラウザに対して行う。
次に、ステップＳ１０２のように、ブラウザは、ユーザからのｗｅｂページ閲覧指示を受けて、該ｗｅｂページデータを有するｗｅｂサーバに、ｗｅｂページ閲覧要求信号送信を行う。次に、ステップＳ１０３のように、ｗｅｂサーバは、ブラウザからのｗｅｂページ閲覧要求信号を受信する。次に、ステップＳ１０４のように、ｗｅｂサーバは、ブラウザに、ｗｅｂページデータの送信を行う。次に、ステップＳ１０５のように、ブラウザは、ｗｅｂページデータを受信する。次に、ステップＳ１０６のように、ブラウザは、受信したｗｅｂページデータの解析を行う。ここで、ブラウザは、ｗｅｂページデータ内の広告掲載領域データを認識し、ステップＳ１０７のように、広告掲載領域データに指定されている広告情報配信元（広告配信サーバ）に、広告情報データ要求信号を送信する。次に、ステップＳ１０８のように、広告配信サーバは、ブラウザからの広告情報データ要求信号を受信する。次に、ステップＳ１０９のように、広告配信サーバは、広告情報配信履歴データベースに広告情報配信履歴を記録する。次に、ステップＳ１１０のように、広告配信サーバは、ブラウザに、広告情報データを送信する。次に、ステップＳ１１１のように、ブラウザは、広告配信サーバからの広告情報データを受信する。次に、ステップＳ１１２のように、ブラウザは、広告情報を含むｗｅｂページを表示する。次に、ステップＳ１１３のように、ユーザは、広告情報を含むｗｅｂページの閲覧を開始する。
【００５８】
前記広告情報配信履歴から、例えば、どの広告依頼者かつ広告場所提供者のｗｅｂページがより頻繁にユーザに閲覧されているかというアクセス頻度が分かる。また、例えば、前記広告情報配信履歴から、ユーザが、どの広告依頼者かつ広告場所提供者のｗｅｂページがから、どの広告依頼者かつ広告場所提供者のｗｅｂページへ移行したかなどのユーザ動向に関する情報が得られる。
【００５９】
ここで、本発明のインターネット広告方法及びシステムにおいては、前記広告配信サーバが、前記広告情報配信履歴に基づいて広告情報を配信するステップを備えてもよい。
前記広告配信サーバが、前記広告情報配信履歴に基づいて広告情報を配信することは、例えば、広告配信サーバが、配信広告情報決定プログラムを備え、該配信広告情報決定プログラムが、ユーザ端末に広告情報を配信する前に、前記広告情報配信履歴に基づいて、配信広告情報を決定して、該広告情報を端末に配信することで行われる。
【００６０】
図１２は、本発明のインターネット広告方法およびシステムにおいて、前記広告配信サーバが、前記広告情報配信履歴に基づいて広告情報を配信するステップを備えた場合の一例を示した図である。
【００６１】
１はユーザ端末、２はブラウザ、３は広告配信サーバ、４はｗｅｂページ、５はｗｅｂサーバ、６はインターネット、１２は広告情報配信履歴データベース、１３は配信広告情報決定プログラムを表す。不特定多数のユーザ端末１、広告配信サーバ３、不特定多数のｗｅｂサーバ５は、インターネット６に接続されている。ユーザは、ユーザ端末１が備えるブラウザ２で、ｗｅｂサーバ５が配信するｗｅｂページ４を閲覧する。複数の広告依頼者かつ広告場所提供者はｗｅｂページ４をそれぞれ有し、前記複数の広告依頼者かつ広告場所提供者がそれぞれ有するｗｅｂページ４は、広告仲介者が有する広告配信サーバ３が配信する広告情報を掲載する広告掲載領域を備える。ユーザがユーザ端末１が備えるブラウザ２で、前記広告掲載領域を備えるｗｅｂページ４を閲覧するとき、広告仲介者が有する広告配信サーバ３は、前記広告依頼者かつ広告場所提供者に関する広告情報を、ユーザ端末１が備えるブラウザ２へ配信する。広告配信サーバ３は広告情報配信履歴データベース１２と配信広告情報決定プログラム１３を備える。広告配信サーバ３がユーザ端末１のブラウザ２に広告情報を配信したときに、広告情報配信履歴データベース１２に、広告配信サーバ３がユーザ端末１のブラウザ２に広告情報を配信したことを履歴として記録する。また、広告配信サーバ３がユーザ端末１のブラウザ２に広告情報を配信するとき、広告情報配信履歴データベース１２が有する広告情報配信履歴に基づいて、配信広告情報決定プログラム１３が配信する広告情報を決定して、該広告情報を配信する。
【００６２】
図１３は、本発明のインターネット広告方法及びシステムにおいて、前記広告配信サーバが、前記広告情報配信履歴に基づいて広告情報を配信するステップを備えた場合において、ユーザがｗｅｂページを閲覧するときの手順の概要を示している。
【００６３】
ステップＳ１３０１のように、ユーザは、ｗｅｂページ閲覧指示をブラウザに対して行う。
次に、ステップＳ１３０２のように、ブラウザは、ユーザからのｗｅｂページ閲覧指示を受けて、該ｗｅｂページデータを有するｗｅｂサーバに、ｗｅｂページ閲覧要求信号送信を行う。次に、ステップＳ１３０３のように、ｗｅｂサーバは、ブラウザからのｗｅｂページ閲覧要求信号を受信する。次に、ステップＳ１３０４のように、ｗｅｂサーバは、ブラウザに、ｗｅｂページデータの送信を行う。次に、ステップＳ１３０５のように、ブラウザは、ｗｅｂページデータを受信する。次に、ステップＳ１３０６のように、ブラウザは、受信したｗｅｂページデータの解析を行う。ここで、ブラウザは、ｗｅｂページデータ内の広告掲載領域データを認識し、ステップＳ１３０７のように、広告掲載領域データに指定されている広告情報配信元（広告配信サーバ）に、広告情報データ要求信号を送信する。次に、ステップＳ１３０８のように、広告配信サーバは、ブラウザからの広告情報データ要求信号を受信する。次に、ステップＳ１３０９ａのように、広告配信サーバは、広告情報配信履歴データベースに広告情報配信履歴を記録する。次にステップＳ１３０９ｂのように、配信広告情報決定プログラムは、広告情報配信履歴データを取得する。次に、ステップＳ１３０９ｃのように、配信広告情報決定プログラムは、広告情報配信履歴データを解析する。次に、ステップＳ１３０９ｄのように、配信広告情報決定プログラムは、前記、広告情報配信履歴データを解析した結果に基づいて、配信する広告情報を決定する。
次に、ステップＳ１３１０のように、広告配信サーバは、ブラウザに、該広告情報データを送信する。次に、ステップＳ１３１１のように、ブラウザは、広告配信サーバからの広告情報データを受信する。次に、ステップＳ１３１２のように、ブラウザは、広告情報を含むｗｅｂページを表示する。次に、ステップＳ１３１３のように、ユーザは、広告情報を含むｗｅｂページの閲覧を開始する。
【００６４】
前記広告配信サーバが、前記広告情報配信履歴に基づいて広告情報を配信する場合、例えば、前記広告情報配信履歴から広告情報配信回数を算出し、広告情報に広告情報配信回数（いわば、アクセス回数）の情報を付け加えて広告情報をユーザ端末に配信することができる。図１４は、前記広告配信サーバが、アクセス回数（図中の本日のアクセス回数）の多い順番に、広告依頼者かつ広告場所提供者の広告情報を上から下へ順番に並べて、広告情報をユーザ端末に配信した場合の、広告依頼者かつ広告場所提供者のｗｅｂページの例を示している。このような場合、ユーザは、どの広告依頼者かつ広告場所提供者のｗｅｂページが人気がある（アクセス回数が多い）かということについて情報を得ることができる。
また、前記広告配信サーバが、前記広告情報配信履歴に基づいて広告情報を配信する場合、該広告情報は、上記の例のようなアクセス回数に基づいた広告情報に限定されるものではなく、ユーザや、広告依頼者かつ広告場所提供者などに、利便性を提供するような広告情報を配信してもよい。
【００６５】
ここで、本発明のインターネット広告方法及びシステムにおいては、前記広告情報配信履歴に基づいて広告料金を算出するステップを備えてもよい。
【００６６】
図１５は、本発明のインターネット広告方法およびシステムにおいて、前記広告情報配信履歴に基づいて広告料金を算出するステップを備えた場合の、構成の一例を示した図である。
【００６７】
１はユーザ端末、２はブラウザ、３は広告配信サーバ、４はｗｅｂページ、５はｗｅｂサーバ、６はインターネット、１２は広告情報配信履歴データベース、１４は広告料金算出プログラムを表す。不特定多数のユーザ端末１、広告配信サーバ３、不特定多数のｗｅｂサーバ５は、インターネット６に接続されている。ユーザは、ユーザ端末１が備えるブラウザ２で、ｗｅｂサーバ５が配信するｗｅｂページ４を閲覧する。複数の広告依頼者かつ広告場所提供者はｗｅｂページ４をそれぞれ有し、前記複数の広告依頼者かつ広告場所提供者がそれぞれ有するｗｅｂページ４は、広告仲介者が有する広告配信サーバ３が配信する広告情報を掲載する広告掲載領域を備える。ユーザがユーザ端末１が備えるブラウザ２で、前記広告掲載領域を備えるｗｅｂページ４を閲覧するとき、広告仲介者が有する広告配信サーバ３は、前記広告依頼者かつ広告場所提供者に関する広告情報を、ユーザ端末１が備えるブラウザ２へ配信する。広告配信サーバ３は広告情報配信履歴データベース１２と広告料金算出プログラム１４を備える。広告配信サーバ３がユーザ端末１のブラウザ２に広告情報を配信したときに、広告情報配信履歴データベース１２に、広告配信サーバ３がユーザ端末１のブラウザ２に広告情報を配信したことを履歴として記録する。広告配信サーバ３は、広告料金算出プログラム１４によって、広告情報配信履歴データベース１３が有する広告情報配信履歴に基づいて広告料金を算出する。
【００６８】
広告料金算出プログラム１４は、広告依頼者かつ広告場所提供者のｗｅｂページが備える広告掲載領域における広告情報がユーザによってアクセスされるとき、前記広告情報配信履歴に基づいた所定の広告算出手順に基づいて広告料金を算出する。
【００６９】
所定の広告算出手順とは、例えば、アクセスされた広告情報を掲載している広告依頼者かつ広告場所提供者は広告場所を提供している回数（以下「広告場所提供回数」）と、アクセスされた広告情報のリンク先の広告依頼者かつ広告場所提供者にユーザが誘導された回数（以下「被広告誘導回数」）とを算出して、被広告誘導回数が多いほど広告料金を多くし、広告場所提供回数が多いほど広告料金を少なくする手順である。
【００７０】
このように、前記広告情報配信履歴に基づいて、広告料金を算出することにより、広告依頼者かつ広告場所提供者は、広告場所提供した回数と広告によって誘導された回数とを差し引きした、より合理的な広告料金を算出することができる。
【００７１】
このように、本発明のインターネット広告方法及びシステムによれば、広告依頼者かつ広告場所提供者は、広告依頼者とであるとともに広告場所提供者でもあるので、広告仲介者を介して連なる、複数の広告依頼者かつ広告場所提供者の数だけ、ユーザから広告情報を閲覧される機会があり、また、広告依頼者かつ広告場所提供者はお互いに広告情報をｗｅｂページに掲載することにより、言わば、互いにｗｅｂページのスペースを提供しているので、お互いに広告掲載料を相殺もしくは差し引くことにより、広告費用を低減することが可能となる。
【００７２】
図１６は、本発明の電子モールシステムの構成の一例を示した図である。１はユーザ端末、２はブラウザ、１５は電子モール情報配信サーバ、５はｗｅｂサーバ、１６は電子モール出店者ｗｅｂページ、６はインターネットを表す。不特定多数のユーザ端末１、広告配信サーバ３、不特定多数のｗｅｂサーバ５は、インターネット６に接続されている。複数の電子モール出店者はそれぞれ電子モール出店者電子モール出店者ｗｅｂページ１６を有する。前記電子モール出店者の電子モール出店者電子モール出店者ｗｅｂページ１６は、電子モール情報配信サーバ１５が配信する電子モール情報を掲載する電子モール情報掲載領域を備える。前記電子モール情報は、少なくとも前記複数の電子モール出店者の中の一人の者に関する情報を含んでいる。
ユーザがユーザ端末１が備えるブラウザ２で、電子モール出店者の電子モール出店者ｗｅｂページ１６を閲覧するとき、電子モール配信サーバ１５は、電子モール情報を、ユーザ端末１が備えるブラウザへ配信する。
【００７３】
ここで、前記電子モール情報は、電子モールを象徴的に表す電子モールシンボルを備えてもよい。前記電子モールシンボルとは、文字、記号、図形、画像などであることができる。前記電子モールシンボルは、望ましくは、前記電子モールを直接的、間接的もしくは象徴的に想起させるものである。
【００７４】
図１７は、本発明の電子モールステムにおいて、複数の電子モール出店者がそれぞれ有する、電子モール情報掲載領域を備える電子モールｗｅｂページの一例を示した図である。
図１７の例においては、本屋Ｉ、酒屋Ｊ、薬局Ｋ、電器店Ｌ、本屋Ｍが電子モール出店者であり、電子モール出店者電子モール出店者ｗｅｂページ１６ｉ、電子モール出店者電子モール出店者ｗｅｂページ１６ｊ、電子モール出店者ｗｅｂページ１６ｋ、電子モール出店者ｗｅｂページ１６ｌ、電子モール出店者ｗｅｂページ１６ｍをそれぞれ有する。電子モール出店者ｗｅｂページ１６ｉ、電子モール出店者ｗｅｂページ１６ｊ、電子モール出店者ｗｅｂページ１６ｋ、電子モール出店者ｗｅｂページ１６ｌ、電子モール出店者ｗｅｂページ１６ｍは、電子モール情報掲載領域１７ｉ、電子モール情報掲載領域１７ｊ、電子モール情報掲載領域１７ｋ、電子モール情報掲載領域１７ｌ、電子モール情報掲載領域１７ｍを、それぞれ備える。本屋Ｉが有する電子モール出店者ｗｅｂページ１６ｉが備える電子モール情報掲載領域１７ｉには、酒屋Ｊ、薬局Ｋ、電器店Ｌ、本屋Ｍに関する情報を含む電子モール情報１８ｉが掲載されている。酒屋Ｊが有する電子モール出店者ｗｅｂページ１６ｊが備える電子モール情報掲載領域１７ｊには、本屋Ｉ、薬局Ｋ、電器店Ｌ、本屋Ｍに関する情報を含む電子モール情報１８ｊが掲載されている。薬局Ｋが有する電子モール出店者ｗｅｂページ１６ｋが備える電子モール情報掲載領域１７ｋには、本屋Ｉ、酒屋Ｊ、電器店Ｌ、本屋Ｍに関する情報を含む電子モール情報１８ｋが掲載されている。電器店Ｌが有する電子モール出店者ｗｅｂページ１６ｌが備える電子モール情報掲載領域１７ｌには、本屋Ｉ、酒屋Ｊ、薬局Ｋ、本屋Ｍに関する情報を含む電子モール情報１８ｌが掲載されている。本屋Ｍが有する電子モール出店者ｗｅｂページ１６ｌが備える電子モール情報掲載領域１７ｌには、本屋Ｉ、酒屋Ｊ、薬局Ｋ、電器店Ｌに関する情報を含む電子モール情報１８ｍが掲載されている。図１７の例においては、電子モール情報１８ｉ、電子モール情報１８ｊ、電子モール情報１８ｋ、電子モール情報１８ｌ、電子モール情報１８ｍはそれぞれ電子モールシンボル１９を含んでいる。
【００７５】
このように、図１７の例において、電子モール出店者である本屋Ｉ、酒屋Ｊ、薬局Ｋ、電器店Ｌ、本屋Ｍは、お互いの電子モール出店者に関する情報を含む電子モール情報を、電子モール情報掲載領域に掲載して、電子モールを形成している。また、電子モール出店者である本屋Ｉ、酒屋Ｊ、薬局Ｋ、電器店Ｌ、本屋Ｍは、電子モールシンボルを電子モール情報掲載領域に掲載することで、ユーザは、前記電子モール出店者を、同一の電子モールに出店している出店者であると認識しやすい。電子モール出店者である本屋Ｉ、酒屋Ｊ、薬局Ｋ、電器店Ｌ、本屋Ｍは、お互いの電子モール出店者に関する情報を含む電子モール情報を、電子モール情報掲載領域に掲載するため、従来のように、電子モール運営者の電子モールに出店する（電子モール内に出店者のｗｅｂページを確保する）ための電子モール出店料を支払わなくてもよい。
【００７６】
ここで、本発明の電子モールシステムにおいては、電子モール情報配信サーバが配信する電子モール情報は、前記複数の電子モール出店者の間で互いに競合する情報を含まなくともよい。前記電子モール情報が、前記複数の電子モール出店者の間で互いに競合する情報を含まない場合、前記複数の電子モール出店者は互いに競合しないので、より広告効果を高めることができる。
【００７７】
図１８は、本発明の電子モールシステムにおいて、電子モール情報配信サーバが配信する電子モール情報が前記複数の電子モール出店者の間で互いに競合する情報を含まない場合の例を示した図である。
【００７８】
図１８の例においては、本屋Ｉ、酒屋Ｊ、薬局Ｋ、電器店Ｌ、理髪店Ｎが電子モール出店者であり、電子モール出店者ｗｅｂページ２０ｉ、電子モール出店者ｗｅｂページ２０ｊ、電子モール出店者ｗｅｂページ２０ｋ、電子モール出店者ｗｅｂページ２０ｌ、電子モール出店者ｗｅｂページ２０ｎをそれぞれ有する。電子モール出店者ｗｅｂページ２０ｉ、電子モール出店者ｗｅｂページ２０ｊ、電子モール出店者ｗｅｂページ２０ｋ、電子モール出店者ｗｅｂページ２０ｌ、電子モール出店者ｗｅｂページ２０ｎは、電子モール情報掲載領域２１ｉ、電子モール情報掲載領域２１ｊ、電子モール情報掲載領域２１ｋ、電子モール情報掲載領域２１ｌ、電子モール情報掲載領域２１ｎを、それぞれ備える。本屋Ｉが有する電子モール出店者ｗｅｂページ２０ｉが備える広告掲載領域２１ｉには、酒屋Ｊ、薬局Ｋ、電器店Ｌ、理髪店Ｎに関する情報を含む電子モール情報２２ｉが掲載されている。酒屋Ｊが有する電子モール出店者ｗｅｂページ２０ｊが備える電子モール情報掲載領域２１ｊには、本屋Ｉ、薬局Ｋ、電器店Ｌ、理髪店Ｎに関する情報を含む電子モール情報２２ｊが掲載されている。薬局Ｋが有する電子モール出店者ｗｅｂページ２０ｋが備える電子モール情報掲載領域２１ｋには、本屋Ｉ、酒屋Ｊ、電器店Ｌ、理髪店Ｎに関する情報を含む電子モール情報２２ｋが掲載されている。電器店Ｌが有する電子モール出店者ｗｅｂページ２０ｌが備える電子モール情報掲載領域２１ｌには、本屋Ｉ、酒屋Ｊ、薬局Ｋ、理髪店Ｎに関する情報を含む電子モール情報２２ｌが掲載されている。理髪店Ｎが有する電子モール出店者ｗｅｂページ２０ｌが備える電子モール情報掲載領域２１ｎには、本屋Ｉ、酒屋Ｊ、薬局Ｋ、電器店Ｌに関する情報を含む電子モール情報２２ｎが掲載されている。
図１８の例においては、電子モール情報２２ｉ、電子モール情報２２ｊ、電子モール情報２２ｋ、電子モール情報２２ｌ、電子モール情報２２ｎはそれぞれ電子モールシンボル２３を含む。
【００７９】
図１８の例においては、本屋Ｉ、酒屋Ｊ、薬局Ｋ、電器店Ｌ、理髪店Ｎが電子モール出店者であり、電子モール出店者の中の一人である本屋Ｉが有する電子モール出店者電子モール出店者ｗｅｂページ１６ｉの電子モール情報掲載領域２１ｉに掲載される電子モール情報２２ｉは、電子モールシンボル２３を含み、電子モール出店者（酒屋Ｊ、薬局Ｋ、電器店ＬそしてブティックＭ）の間において、互いに業種が異なるため、互いに競合しない。
【００８０】
このように、図１８の例において、本屋Ｉ、酒屋Ｊ、薬局Ｋ、電器店Ｌ、理髪店Ｎは、お
互いの電子モール出店者に関する情報を含む電子モール情報を掲載しており、該電子モール情報が、お互いに競合する情報を含まないので、電子モールの出店効果を上げることができる。ここで、例えば、図１７の例の場合においては、電子モール情報１８は、電子モール出店者の間において、本屋Ｉと本屋Ｍは、業種が同じであり、互いに競合するので、電子モールの出店効果が下がる。
また、本発明の電子モールシステムにおいては、図１８の例のように、複数の電子モール出店者が、互いに、業種において競合しない場合に限定されることなく、例えば、営業地域において競合しない場合でもよいし、また例えば、営業時間において競合しない場合でもよい。
【００８１】
ここで、本発明の電子モールシステムにおいては、前記電子モール出店者が有する電子モール出店者ｗｅｂページ上に、前記電子モール情報掲載領域が存在しているかどうかを調査する手段を備えてもよい。
【００８２】
図１９は、本発明の電子モールシステムにおいて、前記電子モール出店者が有するｗｅｂページに、電子モール情報掲載領域が存在しているかどうかを調査する手段を備える場合の構成の一例示した図である。
【００８３】
１はユーザ端末、２はブラウザ、１５は電子モール情報配信サーバ、５はｗｅｂサーバ、１６は電子モール出店者ｗｅｂページ、６はインターネットを表す。不特定多数のユーザ端末１、電子モール情報配信サーバ１５、不特定多数のｗｅｂサーバ５は、インターネット６に接続されている。複数の電子モール出店者はそれぞれ電子モール出店者電子モール出店者ｗｅｂページ１６を有する。前記電子モール出店者の電子モール出店者電子モール出店者ｗｅｂページ１６は、電子モール情報配信サーバ１５が配信する電子モール情報を掲載する電子モール情報掲載領域を備える。前記電子モール情報は、少なくとも前記複数の電子モール出店者の中の一人の者に関する情報を含んでいる。また、前記電子モール情報は、電子モールを象徴的に表す電子モールシンボルを備える。
ユーザがユーザ端末１が備えるブラウザ２で、電子モール出店者の電子モール出店者ｗｅｂページ１６を閲覧するとき、電子モール配信サーバ１５は、電子モール出店者に関する情報と電子モールシンボルを含む電子モール情報を、ユーザ端末１が備えるブラウザへ配信する。
【００８４】
電子モール情報配信サーバ１５は、電子モール情報掲載領域調査手段２４を備える。電子モール情報掲載領域調査手段２４は、電子モール出店者データベース２５と、電子モール情報掲載領域調査プログラム２６とを備える。電子モール出店者データベース２５は、前記電子モール出店者が有するｗｅｂページのアドレスが記録されている。電子モール情報掲載領域調査プログラム２６は、前記電子モール出店者が有するｗｅｂページが前記電子モール情報掲載領域を有しているかどうかを調査する。
【００８５】
図２０は、前記電子モール情報掲載領域調査プログラム２６のフローチャートを示している。前記電子モール情報掲載領域調査プログラム２６は、ステップＳ１９０１のように、電子モール情報掲載領域の調査が始まると、まず、ステップＳ１９０２のように、前記ｗｅｂページアドレスデータベース２５から、調査対象となる、前記電子モール出店者の電子モール出店者ｗｅｂページアドレスを取得する。次に、ステップＳ１９０３のように、前記電子モール出店者ｗｅｂページアドレスから、前記電子モール出店者の電子モール出店者ｗｅｂページデータを取得する。次に、ステップＳ１９０４のように、前記電子モール出店者ｗｅｂページデータを解析する。次に、その前記解析結果から、ステップＳ１９０５のように、前記電子モール出店者ｗｅｂページデータが、前記電子モール情報掲載領域のデータを含むどうか判定する。
このようにして、前記電子モール情報掲載領域調査手段２４は、前記電子モール出店者が有する電子モール出店者ｗｅｂページに、電子モール情報掲載領域が存在しているかどうかを調査する。
【００８６】
前記電子モール出店者が有する電子モール出店者ｗｅｂページに、電子モール情報掲載領域が存在しているかどうかを調べることによって、複数の電子モール出店者の間で互いに電子モール情報を掲載していることを確認することができる。このため、前記電子モール出店者は、他の電子モール出店者が電子モール情報掲載場所を提供しているかどうか分からないという不安を低減することができる。
【００８７】
ここで、本発明の電子モールシステムにおいては、前記電子モール情報配信サーバが電子モール情報を配信したことを電子モール情報配信履歴として記録するステップを備えてもよい。電子モール情報の配信履歴を記録することは、例えば、前記電子モール配信サーバが、ユーザ端末に電子モール情報を配信するのに伴って、該電子モール情報の配信日時、配信先、配信した広告情報の内容などの情報を電子モール情報配信履歴として、電子モール情報配信履歴データベースなどに記録させることで行われる。
【００８８】
図２１は、本発明の電子モールシステムにおいて、前記電子モール情報配信サーバが電子モール情報を配信したことを電子モール情報配信履歴として記録するステップを備えた場合の、構成の一例を示した図である。
【００８９】
１はユーザ端末、２はブラウザ、１５は電子モール情報配信サーバ、５はｗｅｂサーバ、１６は電子モール出店者ｗｅｂページ、６はインターネットを表す。不特定多数のユーザ端末１、電子モール情報配信サーバ１５、不特定多数のｗｅｂサーバ５は、インターネット６に接続されている。複数の電子モール出店者はそれぞれ電子モール出店者電子モール出店者ｗｅｂページ１６を有する。前記電子モール出店者の電子モール出店者電子モール出店者ｗｅｂページ１６は、電子モール情報配信サーバ１５が配信する電子モール情報を掲載する電子モール情報掲載領域を備える。前記電子モール情報は、少なくとも前記複数の電子モール出店者の中の一人の者に関する情報を含んでいる。
ユーザがユーザ端末１が備えるブラウザ２で、電子モール出店者の電子モール出店者ｗｅｂページ１６を閲覧するとき、電子モール配信サーバ１５は、電子モール出店者に関する情報を含む電子モール情報を、ユーザ端末１が備えるブラウザ２へ配信する。
【００９０】
電子モール情報配信サーバ１５は、電子モール情報配信履歴データベース２７を備える。電子モール情報配信サーバ１５が、ユーザ端末１のブラウザ２に電子モール情報を配信したときに、電子モール情報配信履歴データベース２７に、電子モール情報配信サーバ１５がユーザ端末１のブラウザ２に電子モール情報を配信したことを履歴として記録する。
【００９１】
図２２は、本発明の電子モールシステムにおいて、前記電子モール情報配信サーバ１５が電子モール情報を配信したことを、電子モール情報配信履歴として記録するステップを備えた場合の、ユーザが電子モール出店者が有する電子モール出店者ｗｅｂページを閲覧するときの手順の概要を示している。
【００９２】
ステップＳ２１０１のように、ユーザは、電子モール出店者のｗｅｂページ閲覧指示をブラウザに対して行う。次に、ステップＳ２１０２のように、ブラウザは、ユーザからの前記ｗｅｂページ閲覧指示を受けて、前記ｗｅｂページデータを有するｗｅｂサーバに、ｗｅｂページ閲覧要求信号送信を行う。次に、ステップＳ２１０３のように、ｗｅｂサーバは、ブラウザからのｗｅｂページ閲覧要求信号を受信する。次に、ステップＳ２１０４のように、ｗｅｂサーバは、ブラウザに、ｗｅｂページデータの送信を行う。次に、ステップＳ２１０５のように、ブラウザは、ｗｅｂページデータを受信する。次に、ステップＳ２１０６のように、ブラウザは、受信したｗｅｂページデータの解析を行う。ここで、ブラウザは、ｗｅｂページデータ内の電子モール情報掲載領域データを認識し、ステップＳ２１０７のように、電子モール情報掲載領域データに指定されているリンク先（電子モール情報配信サーバ）に、電子モール情報データ要求信号を送信する。次に、ステップＳ２１０８のように、電子モール情報配信サーバは、ブラウザからの電子モール情報データ要求信号を受信する。次に、ステップＳ２１０９のように、電子モール情報配信サーバは、電子モール情報配信履歴データベースに電子モール情報配信履歴を記録する。次に、ステップＳ２１１０のように、電子モール情報配信サーバは、ブラウザに、電子モール情報データを送信する。次に、ステップＳ２１１１のように、ブラウザは、電子モール情報配信サーバからの電子モール情報データを受信する。次に、ステップＳ２１１２のように、ブラウザは、電子モール情報を含むｗｅｂページを表示する。次に、ステップＳ２１１３のように、ユーザは、電子モール情報を含むｗｅｂページの閲覧を開始する。
【００９３】
前記電子モール情報配信履歴から、例えば、どの電子モール出店者の電子モール出店者ｗｅｂページがより頻繁にユーザに閲覧されているかというアクセス頻度が分かる。また、例えば、電子モール情報配信履歴から、ユーザが、どの電子モール出店者の電子モール出店者ｗｅｂページがから、どの電子モール電子モール出店者のｗｅｂページへ移行したかなどのユーザ動向に関する情報が得られる。
【００９４】
ここで、本発明の電子モールステムにおいては、前記電子モール情報配信サーバが、前記電子モール情報配信履歴に基づいて電子モール情報を配信するステップを備えてもよい。
前記電子モール情報配信サーバが、前記電子モール情報配信履歴に基づいて電子モール情報を配信することは、例えば、電子モール情報配信サーバが、配信電子モール情報決定プログラムを備え、該配信電子モール情報決定プログラムが、ユーザ端末に電子モール情報を配信する前に、前記電子モール情報配信履歴に基づいて、配信電子モール情報を決定して、該電子モール情報を端末に配信することで行われる。
【００９５】
図２３は、本発明の電子モールシステムにおいて、前記電子モール配信サーバが前記電子モール配信履歴に基づいて電子モールを配信するステップを備えた場合の、構成の一例を示した図である。
【００９６】
１はユーザ端末、２はブラウザ、１５は電子モール情報配信サーバ、５はｗｅｂサーバ、１６は電子モール出店者ｗｅｂページ、６はインターネットを表す。不特定多数のユーザ端末１、電子モール情報配信サーバ１５、不特定多数のｗｅｂサーバ５は、インターネット６に接続されている。複数の電子モール出店者はそれぞれ電子モール出店者電子モール出店者ｗｅｂページ１６を有する。前記電子モール出店者の電子モール出店者電子モール出店者ｗｅｂページ１６は、電子モール情報配信サーバ１５が配信する電子モール情報を掲載する電子モール情報掲載領域を備える。前記電子モール情報は、少なくとも前記複数の電子モール出店者の中の一人の者に関する情報を含んでいる。
ユーザがユーザ端末１が備えるブラウザ２で、電子モール出店者の電子モール出店者ｗｅｂページ１６を閲覧するとき、電子モール配信サーバ１５は、電子モール出店者に関する情報と電子モールシンボルを含む電子モール情報を、ユーザ端末１が備えるブラウザ２へ配信する。
【００９７】
電子モール情報配信サーバ１５は電子モール情報配信履歴データベース２７と配信広告情報決定プログラム２８を備える。電子モール配信サーバ１５がユーザ端末１のブラウザ２に電子モール情報を配信したときに、電子モール情報配信履歴データベース２７に、電子モール情報配信サーバ１３がユーザ端末１のブラウザ２に電子モール情報を配信したことを履歴として記録する。また、電子モール配信サーバ１５がユーザ端末１のブラウザ２に電子モール情報を配信するとき、電子モール情報配信履歴データベース２７が有する電子モール情報配信履歴に基づいて、配信電子モール情報プログラム２８が配信する電子モール情報を決定して、該電子モール情報を配信する。
【００９８】
図２４は、本発明の電子モールシステムにおいて、前記電子モール情報配信サーバ１５が、前記電子モール情報配信履歴に基づいて電子モール情報を配信するステップを備えた場合において、ユーザが電子モール出店者ｗｅｂページを閲覧するときの手順の概要を示している。
【００９９】
ステップＳ２３０１のように、ユーザは、ｗｅｂページ閲覧指示をブラウザに対して行う。
次に、ステップＳ２３０２のように、ブラウザは、ユーザからのｗｅｂページ閲覧指示を受けて、該ｗｅｂページデータを有するｗｅｂサーバに、ｗｅｂページ閲覧要求信号送信を行う。次に、ステップＳ２３０３のように、ｗｅｂサーバは、ブラウザからのｗｅｂページ閲覧要求信号を受信する。次に、ステップＳ２３０４のように、ｗｅｂサーバは、ブラウザに、ｗｅｂページデータの送信を行う。次に、ステップＳ２３０５のように、ブラウザは、ｗｅｂページデータを受信する。次に、ステップＳ２３０６のように、ブラウザは、受信したｗｅｂページデータの解析を行う。ここで、ブラウザは、ｗｅｂページデータ内の電子モール情報掲載領域データを認識し、ステップＳ２３０７のように、電子モール情報掲載領域データに指定されているリンク先（電子モール情報配信サーバ）に、電子モール情報データ要求信号を送信する。次に、ステップＳ２３０８のように、電子モール情報配信サーバは、ブラウザからの電子モール情報データ要求信号を受信する。次に、ステップＳ２３０９ａのように、電子モール情報配信サーバは、電子モール情報配信履歴データベースに広告情報配信履歴を記録する。次にステップＳ２３０９ｂのように、配信電子モール情報決定プログラムは、電子モール情報配信履歴データを取得する。次に、ステップＳ２３０９ｃのように、配信電子モール情報決定プログラムは、電子モール情報配信履歴データを解析する。次に、ステップＳ２３０９ｄのように、配信電子モール情報決定プログラムは、前記、電子モール情報配信履歴データを解析した結果に基づいて、配信する電子モール情報を決定する。次に、ステップＳ２３１０のように、電子モール情報配信サーバは、ブラウザに、該電子モール情報データを送信する。次に、ステップＳ２３１１のように、ブラウザは、電子モール情報配信サーバからの電子モール情報データを受信する。次に、ステップＳ２３１２のように、ブラウザは、電子モール情報を含むｗｅｂページを表示する。次に、ステップＳ２３１３のように、ユーザは、電子モール情報を含むｗｅｂページの閲覧を開始する。
【０１００】
前記電子モール配信サーバ１５が、前記電子モール情報配信履歴に基づいて電子モール情報を配信する場合、例えば、前記電子モール情報配信履歴から電子モール情報配信回数を算出し、電子モール情報に電子モール情報配信回数（いわば、アクセス回数）の情報を付け加えて電子モール情報をユーザ端末に配信することができる。
【０１０１】
【発明の効果】
これらのインターネット広告方法およびシステムを用いることにより、インターネットにおいて、広告依頼者（広告依頼者かつ広告場所提供者）は広告費用を低減することができる。
また、これらの電子モールシステムによって、電子モール出店者は、電子モールへの出店費用を低減することができる。
【図面の簡単な説明】
【図１】従来のインターネット広告方法の一例の概略図
【図２】従来のインターネット広告方法の一例の概略図
【図３】従来のインターネット広告システムの構成例の図
【図４】従来のインターネットにおける電子モールシステムの構成例の図
【図５】本発明に係るインターネット広告方法及びシステムの一例の概略図
【図６】本発明に係る、広告依頼者かつ広告場所提供者が有するｗｅｂページの一例の図
【図７】本発明に係る、広告依頼者かつ広告場所提供者が有するｗｅｂページの一例の図
【図８】本発明に係る、広告依頼者かつ広告場所提供者が有するｗｅｂページに、広告掲載領域が存在しているかどうかを調査するステップを備える場合の一例の概略図
【図９】本発明に係る、広告掲載領域調査手段の一例を示す図
【図１０】本発明に係るインターネット広告方法及びシステムの一例の構成の概略図
【図１１】本発明に係るインターネット広告方法及びシステムの手順の一例を示す図
【図１２】本発明に係るインターネット広告方法及びシステムの一例の構成の概略図
【図１３】本発明に係るインターネット広告方法及びシステムの手順の一例を示す図
【図１４】本発明に係る、広告依頼者かつ広告場所提供者が有するｗｅｂページの一例の図
【図１５】本発明に係るインターネット広告方法及びシステムの一例の構成の概略図
【図１６】本発明に係る電子モールシステムの一例の構成の概略図
【図１７】本発明に係る、電子モール出店者が有する、電子モール情報掲載領域を備える電子モール出店者ｗｅｂページの一例を示した図
【図１８】本発明に係る、電子モール出店者が有する、電子モール情報掲載領域を備える電子モール出店者ｗｅｂページの一例を示した図
【図１９】本発明に係る電子モールシステムの一例の構成の概略図
【図２０】電子モール情報掲載領域調査プログラムのフローチャートを示す図
【図２１】本発明に係る電子モールシステムの一例の構成の概略図
【図２２】本発明に係る、電子モール情報配信履歴を記録するステップを備えた場合の、電子モール出店者が有するｗｅｂページが閲覧される手順を示した図
【図２３】本発明に係る電子モールシステムの一例の構成の概略図
【図２４】本発明に係る、電子モール情報配信履歴を記録するステップを備えた場合の、電子モール出店者が有するｗｅｂページが閲覧される手順を示した図
【符号の説明】
１　ユーザ端末
２　ブラウザ
３　広告配信サーバ
４　ｗｅｂページ
５　ｗｅｂサーバ
６　インターネット
７　電子モールサーバ
８　電子モール入り口ｗｅｂページ
９　電子モール出店者ｗｅｂページ
１０ａ〜１０ｈ　ｗｅｂページ
１０ｅａ〜１０ｈａ　ｗｅｂページ
１０１　広告依頼者かつ広告場所提供者の有するｗｅｂページの一例
１１ａ〜１１ｈ　広告掲載領域
１１ｅａ〜１１ｈａ　広告掲載領域
１００　広告掲載領域調査手段
１０１　広告掲載領域調査プログラム
１０２　ｗｅｂページアドレスデータベース
１２　広告情報配信履歴データベース
１３　配信広告情報決定プログラム
１４　広告料金算出プログラム
１５　電子モール情報配信サーバ
１６ｉ〜１６ｍ　電子モール出店者ｗｅｂページ
１７ｉ〜１７ｍ　電子モール情報掲載領域
１８ｉ〜１８ｍ　電子モール情報
１９　電子モールシンボル
２０ｉ〜２０ｌ、２０ｎ　電子モール出店者ｗｅｂページ
２１ｉ〜２１ｌ、２１ｎ　電子モール情報掲載領域
２２ｉ〜２２ｌ、２２ｎ　電子モール情報
２３　電子モールシンボル
２４　電子モール情報掲載領域調査手段
２５　電子モール出店者データベース
２６　電子モール情報掲載領域調査プログラム
２７　電子モール情報配信履歴データベース
２８　電子モール情報決定プログラム
【図１】
2004062318.tif 000003
【図２】
2004062318.tif 000004
【図３】
2004062318.tif 000005
【図４】
2004062318.tif 000006
【図５】
2004062318.tif 000007
【図６】
2004062318.tif 000008
【図７】
2004062318.tif 000009
【図８】
2004062318.tif 000010
【図９】
2004062318.tif 000011
【図１０】
2004062318.tif 000012
【図１１】
2004062318.tif 000013
【図１２】
2004062318.tif 000014
【図１３】
2004062318.tif 000015
【図１４】
2004062318.tif 000016
【図１５】
2004062318.tif 000017
【図１６】
2004062318.tif 000018
【図１７】
2004062318.tif 000019
【図１８】
2004062318.tif 000020
【図１９】
2004062318.tif 000021
【図２０】
2004062318.tif 000022
【図２１】
2004062318.tif 000023
【図２２】
2004062318.tif 000024
【図２３】
2004062318.tif 000025
【図２４】
2004062318.tif 000026